(57)【要約】【課題】コーヒーの不純物をドリッパー内に留め、濾過孔が塞がることを防いで高い濾過効果を得る、二層の濾材を有するドリッパーを提供する。【解決手段】二層の濾材を有するドリッパーは、第１の濾過外層１０、第１の濾過内層２０、濾過槽３０、台座４０、第２の濾過内層５０及び固定リング６０を備える。第１の濾過外層１０は、両端が中空状である上、上から下方にかけて縮小する錐形環状であり、周壁には、上から下方向へかけて形成された複数本の長孔が揃えて配置される。第１の濾過内層２０は、第１の濾過外層１０の内周面に対応して貼設されるウーブンメッシュであり、ウーブンメッシュのメッシュ孔は、第１の濾過外層１０の長孔より小さい。濾過槽３０は、内部に収容槽３１を有する。収容槽３１の下端には、下向きに引き込まれた円錐状の接続部３２が設けられる。接続部３２は、第１の濾過内層２０の上端の開口内側に貼設される。【選択図】図２
0003214080.tif 000002
【実用新案登録請求の範囲】
【請求項１】
第１の濾過外層、第１の濾過内層、濾過槽、台座、第２の濾過内層及び固定リングを備えた、二層の濾材を有するドリッパーであって、
前記第１の濾過外層は、両端が中空状である上、上から下方にかけて縮小する錐形環状であり、周壁には、上から下方向へかけて形成された複数本の長孔が揃えて配置され、
前記第１の濾過内層は、前記第１の濾過外層の内周面に対応して貼設されるウーブンメッシュであり、前記ウーブンメッシュのメッシュ孔は、前記第１の濾過外層の長孔より小さく、
前記濾過槽は、内部に収容槽を有し、前記収容槽の下端には、下向きに引き込まれた円錐状の接続部が設けられ、前記円錐状の接続部は、前記第１の濾過内層の上端の開口内側に貼設され、前記第１の濾過内層の上端の一部が、前記円錐状の接続部と前記第１の濾過外層の上端との間に挟設され、
前記台座は、円形状カップであり、内部に円形凹槽を有し、凹槽槽壁が外向きに延伸されて錐形環状の接続部が設けられ、前記錐形環状の接続部は、前記第１の濾過内層の下端の内周面に貼設され、前記第１の濾過内層の下端の一部が、前記錐形環状の接続部と前記第１の濾過外層の下端との間に挟設され、前記台座の凹槽底面には、多数の円形状の穿孔を有する第２の濾過外層が形成され、
前記第２の濾過内層は、前記台座内の前記第２の濾過外層の頂面に貼設するウーブンメッシュであり、前記ウーブンメッシュのメッシュ孔は、前記第２の濾過外層の円形状穿孔より小さく、
前記固定リングは、リング形状であり、前記第２の濾過内層の頂面に貼設されることを特徴とする二層の濾材を有するドリッパー。
【請求項２】
前記第２の濾過外層は、平面状、内側に凹んだ凹弧状又は錐状であることを特徴とする請求項１に記載の二層の濾材を有するドリッパー。
【請求項３】
前記第２の濾過内層は、平面状、内側に凹んだ凹弧状又は錐状であることを特徴とする請求項１に記載の二層の濾材を有するドリッパー。
【請求項４】
前記濾過槽の外表面は、プラスチックスリーブで覆われ、
前記プラスチックスリーブの下端には、ねじ部が設けられ、
前記ねじ部上には、リングが設けられ、
前記リングの上端には、多数の爪が設けられていることを特徴とする請求項１に記載の二層の濾材を有するドリッパー。
【請求項５】
前記第１の濾過外層の周壁には、横向きに少なくとも１本のリブが設けられるとともに、環状に配列された長孔が複数形成されていることを特徴とする請求項１に記載の二層の濾材を有するドリッパー。
【考案の詳細な説明】
【技術分野】
【０００１】
本考案は、コーヒー抽出器に関し、特に、二層の濾材を有するドリッパーに関する。
【背景技術】
【０００２】
従来の手作業でコーヒーを抽出する方式は、底部に複数の穿孔を有するドリッパーをカップ上方に設置してから、漏斗状の濾紙をドリッパー内へ設置し、適量のコーヒー粉を濾紙中へ入れてから、所定温度のお湯をゆっくりとコーヒー粉に注ぐと、コーヒーが濾紙及びドリッパーの穿孔を徐々に通過してカップ内に滴下し、飲用に供される。前述したコーヒーを抽出するのに使用する濾紙は、コーヒー中の油脂を吸収することができるため、使用し易い。しかし濾紙は一般の紙材と同様に、樹木などの植物からなるため、環境を汚染し易く、紙材をリサイクルして作る場合、リサイクルに多くのコストがかかる虞があるため改善が求められていた。
【考案の概要】
【考案が解決しようとする課題】
【０００３】
本考案の主な目的は、内外二層の多種類の濾過孔の長尺状で特別な配列及び孔径の違いにより、抽出速度を高め、コーヒーの不純物をドリッパー内に留め、濾過孔が塞がることを防いで高い濾過効果を得る、二層の濾材を有するドリッパーを提供することにある。
本考案のもう一つの目的は、濾過槽の外径を拡大するか縮小し、濾過槽の外径が拡大されたときにカップに掛け渡して抽出し、濾過槽の外径が縮小されたときにカップ内に容易に収納することができるため、コーヒー抽出及び収納が容易な、二層の濾材を有するドリッパーを提供することにある。
【課題を解決するための手段】
【０００４】
上記課題を解決するために、本考案の第１の形態によれば、第１の濾過外層、第１の濾過内層、濾過槽、台座、第２の濾過内層及び固定リングを備えた、二層の濾材を有するドリッパーであって、前記第１の濾過外層は、両端が中空状である上、上から下方にかけて縮小する錐形環状であり、周壁には、上から下方向へかけて形成された複数本の長孔が揃えて配置され、前記第１の濾過内層は、前記第１の濾過外層の内周面に対応して貼設されるウーブンメッシュであり、前記ウーブンメッシュのメッシュ孔は、前記第１の濾過外層の長孔より小さく、前記濾過槽は、内部に収容槽を有し、前記収容槽の下端には、下向きに引き込まれた円錐状の接続部が設けられ、前記接続部は、前記第１の濾過内層の上端の開口内側に貼設され、前記第１の濾過内層の上端の一部が、前記接続部と前記第１の濾過外層の上端との間に挟設され、前記台座は、円形状カップであり、内部に円形凹槽を有し、凹槽槽壁が外向きに延伸されて錐形環状の接続部が設けられ、前記接続部は、前記第１の濾過内層の下端の内周面に貼設され、前記第１の濾過内層の下端の一部が、前記接続部と前記第１の濾過外層の下端との間に挟設され、前記台座の凹槽底面には、多数の円形状の穿孔を有する第２の濾過外層が形成され、前記第２の濾過内層は、前記台座内の前記第２の濾過外層の頂面に貼設するウーブンメッシュであり、前記ウーブンメッシュのメッシュ孔は、前記第２の濾過外層の円形状穿孔より小さく、前記固定リングは、リング形状であり、前記第２の濾過内層の頂面に貼設されることを特徴とする二層の濾材を有するドリッパーが提供される。
【０００５】
前記第２の濾過外層は、平面状、内側に凹んだ凹弧状又は錐状であることが好ましい。
【０００６】
前記第２の濾過内層は、平面状、内側に凹んだ凹弧状又は錐状であることが好ましい。
【０００７】
前記濾過槽の外表面は、プラスチックスリーブで覆われ、前記プラスチックスリーブの下端には、ねじ部が設けられ、前記ねじ部上には、リングが設けられ、前記リングの上端には、多数の爪が設けられていることが好ましい。
【０００８】
前記第１の濾過外層の周壁には、横向きに少なくとも１本のリブが設けられるとともに、環状に配列された長孔が複数形成されていることが好ましい。
【考案の効果】
【０００９】
本考案の二層の濾材を有するドリッパーは、以下（１）及び（２）の効果を有する。
（１）ドリッパーの側壁及び底部の内外二層が有する多種類の濾過孔の長尺状で特別な配列及び孔径の違いにより、張力及びガイド作用を発生させ、濾過速度を高め、コーヒーの不純物をドリッパー内に留め、濾過孔が塞がることを防いで高い濾過効果を得て、コーヒーの抽出効果を最適にすることができる。
（２）濾過槽の下方には、旋回させて外径を大きくすることができるリングが設けられ、カップの上端に掛け渡して抽出することができる上、外径を縮小するとカップ内に収容することができるため、コーヒー抽出及び収納が容易である。
【図面の簡単な説明】
【００１０】
【図１】図１は、本考案の一実施形態に係る二層の濾材を有するドリッパーを示す斜視図である。
【図２】図２は、図１の組立断面図である。
【図３】図３は、図１の濾過槽下の部材を示す分解斜視図である。
【図４】図４は、図１の上面図である。
【図５】図５は、図１の底面図である。
【図６】図６は、本実施形態の第１の濾過外層に横向きに設けたリングのリブを示す側面図である。
【図７】図７は、本実施形態の第２の濾過外層及び第２の濾過内層が円錐状に形成された状態を示す分解斜視図である。
【図８】図８は、本考案の一実施形態に係る二層の濾材を有するドリッパーコーヒーがコーヒーを抽出する使用状態の説明図である。
【考案を実施するための形態】
【００１１】
以下、本考案の実施形態について図に基づいて説明する。なお、これによって本考案が限定されるものではない。
【００１２】
図１〜図５を参照する。図１〜図５に示すように、本考案の一実施形態に係る二層の濾材を有するドリッパーは、少なくとも第１の濾過外層１０、第１の濾過内層２０、濾過槽３０、台座４０、第２の濾過外層４２、第２の濾過内層５０及び固定リング６０から構成されてなる。
【００１３】
第１の濾過外層１０は、両端が中空状である上、上から下方にかけて縮小する錐形環状であり、周壁には、上から下方向へかけて形成された複数本の長孔１１が揃えて配置されている。
【００１４】
第１の濾過内層２０は、第１の濾過外層１０の内周面に対応して貼設されるウーブンメッシュである。ウーブンメッシュのメッシュ孔は、第１の濾過外層１０の長孔１１より小さく、ウーブンメッシュによりコーヒー残渣を濾過することができる。
【００１５】
濾過槽３０は、両端が中空状で、内部に環状の収容槽３１を有する。収容槽３１の下端には、下向きに引き込まれた円錐状の接続部３２が設けられる。接続部３２は、第１の濾過内層２０の上端の開口内側に貼設され、第１の濾過内層２０の上端の一部が、接続部３２と第１の濾過外層１０の上端との間に挟設される。図２に示すように、接続部３２及び第１の濾過内層２０は、溶接方式により第１の濾過外層１０の内側に固定される。濾過槽３０の外表面は、プラスチックスリーブ３３で覆われる。プラスチックスリーブ３３の下端には、ねじ部が設けられる。ねじ部上には、リング３４が設けられる。リング３４上端には、多数の爪３５が（時計回りの方向に）設けられる。リング３４を上向きに旋回させると爪３５が押し広げられて外径が大きくなり、カップ７０の上端に掛け渡すことができる。図８に示すように、リング３４を下向きへ（逆時計回りへ）旋回させると爪３５が元の外径に戻り、カップ７０内に容易に収納することができる（図示せず）。
【００１６】
台座４０は、円形状カップであり、内部に円形凹槽を有し、凹槽槽壁が外向きに延伸されて錐形環状の接続部４１が設けられる。接続部４１は、第１の濾過内層２０の下端の内周面に貼設され、第１の濾過内層２０の下端の一部が、接続部４１と第１の濾過外層１０の下端との間に挟設され、台座４０の接続部４１及び第１の濾過内層２０は、溶接方式により第１の濾過外層１０の内側に固定される。台座４０の凹槽底面には、多数の円形状の穿孔４３を有する第２の濾過外層４２が形成される。図７に示すように、本実施形態の第２の濾過外層４２は、平面状に形成されているが、濾過面積を増やすために内側に凹んだ凹弧状又は錐状に形成されてもよい。
【００１７】
第２の濾過内層５０は、台座４０内の第２の濾過外層４２の頂面に貼設するウーブンメッシュである。ウーブンメッシュのメッシュ孔は、第２の濾過外層４２の円形状穿孔４３より小さく、コーヒー残渣を濾過することができる。第２の濾過内層５０は、平面状に形成されるが、図７に示すように、内側に凹んだ凹弧状又は錐状に形成してもよい。
【００１８】
固定リング６０は、第２の濾過内層５０の頂面にリング状に貼設され、固定リング６０及び第２の濾過内層５０は、溶接方式により台座４０の凹槽の第２の濾過外層４２の頂面に固定される。
【００１９】
図６を参照する。図６に示すように、第１の濾過外層１０の周壁には、横向きに少なくとも１本のリブ１２が設けられ、第１の濾過外層１０の周壁には、環状に配列された長孔が複数形成される。図６に示す穿孔は、２列の長孔１１ａ，１１ｂを有する。
【００２０】
図８を参照する。図８に示すように、本実施形態の二層の濾材を有するドリッパーを実際に使用する際、コーヒー粉を収容するドリッパーの外部のリング３４を上向きに（時計回りの方向へ）旋回させて爪３５を押し広げると、カップ７０の上端開口に掛け渡すことができ、ドリッパー内にお湯を注ぎ、本実施形態の側壁（第１の濾過内層２０及び第１の濾過外層１０）と底部（第２の濾過内層５０及び第２の濾過外層４２）との大きめの濾過面積の内外二重層が有する多種類の濾過孔の長尺状で特別な配列及び孔径の違いにより、張力及びガイド作用を発生させ、濾過抽出速度を高め、コーヒーの不純物をドリッパー内に留め、濾過孔が塞がることを防いで高い濾過効果が得られる。
【符号の説明】
【００２１】
１０  第１の濾過外層
１１  長孔
１１ａ  長孔
１１ｂ  長孔
１２  リブ
２０  第１の濾過内層
３０  濾過槽
３１  収容槽
３２  接続部
３３  プラスチックスリーブ
３４  リング
３５  爪
４０  台座
４１  接続部
４２  第２の濾過外層
４３  穿孔
５０  第２の濾過内層
６０  固定リング
７０  カップ
【図１】
0003214080.tif 000003
【図２】
0003214080.tif 000004
【図３】
0003214080.tif 000005
【図４】
0003214080.tif 000006
【図５】
0003214080.tif 000007
【図６】
0003214080.tif 000008
【図７】
0003214080.tif 000009
【図８】
0003214080.tif 000010